(57)【要約】【課題】  ドラムへのワイヤ巻回からドラムとモータとの組み付けまでの一連の作業が容易なワイヤ式ウインドウレギュレータの駆動装置を提供する。【解決手段】  ドラム９をカバー８内に収納した状態のまま、操作孔１３内で露出している凹部２２に対して回転操作を行うことで、ワイヤの巻回作業が行える。巻回終了後に回転操作部を係合したままにしておくことにより、ドラム９の巻き戻り方向への回転を阻止でき、モータの出力軸の係合作業が容易になる。【選択図】        図３
2005307445.tif 000002
【特許請求の範囲】
【請求項１】
ワイヤが外周溝内に巻回されるドラムを、該ドラムの外周溝に近接してワイヤの離脱を防止する円筒状の側面部と頂面部を有するカバー内に収納し、ドラムの底面の回転中心に形成された非円形の駆動穴に、駆動穴に相応する形状を有するモータの出力軸を係合させたワイヤ式ウインドウレギュレータの駆動装置であって、
前記ドラムの頂面の回転中心に非円形の回転操作部を形成し、カバーの頂面部に回転操作部を露出させる操作孔を形成したことを特徴とするワイヤ式ウインドウレギュレータの駆動装置。
【請求項２】
請求項１記載のワイヤ式ウインドウレギュレータの駆動装置であって、
回転操作部が、多角形の凹部であることを特徴とするワイヤ式ウインドウレギュレータの駆動装置。
【請求項３】
請求項１又は請求項２記載のワイヤ式ウインドウレギュレータの駆動装置であって、
カバーの操作孔が円形で、操作孔からドラム側へ円筒状のフランジを形成し、ドラムの頂面側にフランジが外接する軸部を形成し、該軸部の頂面に回転操作部を形成したことを特徴とするワイヤ式ウインドウレギュレータの駆動装置。
【発明の詳細な説明】
【技術分野】
【０００１】
本発明は、ワイヤ式ウインドウレギュレータの駆動装置に関するものである。
【背景技術】
【０００２】
ドアのウインドウパネルを昇降させるためのワイヤ式ウインドウレギュレータの駆動装置としては、ドアに固定されたガイドレールに上下動自在なキャリアプレートを設け、このキャリアプレートにウインドウパネルを固定している。キャリアプレートは、ガイドレールに掛け回されたワイヤに係止されている。
【０００３】
ワイヤは、その一部がドラムの側面に形成された螺旋状の外周溝に巻回され、ドラム自体はワイヤの出入口を有するカバーの内部に収納されている。カバーは、ドラムの外周溝に近接してワイヤの離脱を防止する円筒状の側面部と頂面部を有する形状で、ガイドレールに固定されたモータに取付けられる。ドラムの底面には多角形の駆動穴が形成され、そこに駆動穴に相応する形状のモータ出力軸が挿入係合される。
【０００４】
そして、モータの駆動力でドラムを正逆回転させることにより、ワイヤを上下に駆動させ、ワイヤに係止されているキャリアプレートをウインドウパネルごと上下に移動できる構造になっている。
【０００５】
ドラムにワイヤを巻回する作業は、カバーに収納する前に、ドラムの駆動穴を利用して行われる。すなわち、駆動穴に回転工具の回転軸を係合させ、回転工具によりドラムを回転させながらワイヤを外周溝に巻回する。ワイヤの巻回作業が終了したら、ドラムの駆動穴を回転工具の回転軸から外してカバーに収納し、納入したドラムの駆動穴にモータの出力軸を係合させる。この時、モータの出力軸と係合させるまでの間に、ドラムがカバー内において巻き戻らないように、ドラムを手で押さえるか、カバーに回転防止用の仮止め爪を形成する必要がある（例えば、特許文献１。）。
【特許文献１】特開平１１−２０６９号公報
【発明の開示】
【発明が解決しようとする課題】
【０００６】
しかしながら、このような従来の技術にあっては、ドラムにワイヤを巻回してから、カバーの内部に収納し、ドラムの駆動穴にモータの出力軸を係合させて組み付けるまでの間に、ドラムの回転を阻止する必要があるため、作業が面倒で、作業能率の低下を招いている。
【０００７】
本発明は、このような従来の技術に着目してなされたものであり、ドラムへのワイヤ巻回からドラムとモータとの組み付けまでの一連の作業が容易なワイヤ式ウインドウレギュレータの駆動装置を提供するものである。
【課題を解決するための手段】
【０００８】
請求項１記載の発明は、ワイヤが外周溝内に巻回されるドラムを、該ドラムの外周溝に近接してワイヤの離脱を防止する円筒状の側面部と頂面部を有するカバー内に収納し、ドラムの底面の回転中心に形成された非円形の駆動穴に、駆動穴に相応する形状を有するモータの出力軸を係合させたワイヤ式ウインドウレギュレータの駆動装置であって、前記ドラムの頂面の回転中心に非円形の回転操作部を形成し、カバーの頂面部に回転操作部を露出させる操作孔を形成したことを特徴とする。
【０００９】
請求項２記載の発明は、回転操作部が、多角形の凹部であることを特徴とする。
【００１０】
請求項３記載の発明は、カバーの操作孔が円形で、操作孔からドラム側へ円筒状のフランジを形成し、ドラムの頂面側にフランジが外接する軸部を形成し、該軸部の頂面に回転操作部を形成したことを特徴とする。
【発明の効果】
【００１１】
請求項１記載の発明によれば、ドラムをカバー内に収納した状態のまま、カバーの頂面部に形成された操作孔から、該操作孔内で露出しているドラムの回転操作部に対して手動又は電動工具で回転操作を行うことにより、カバーの内部のドラムをワイヤ巻回のために回転させることができる。従って、ワイヤの巻回作業が容易である。また、巻回終了後に回転操作部を係合したままにしておくことにより、カバー内でのドラムの巻き戻り方向への回転を阻止することができ、ドラムの駆動穴に対するモータの出力軸の係合作業も容易に行える。
【００１２】
請求項２記載の発明によれば、回転操作部が多角形の凹部であるため、回転操作部の形状が簡単であると共に、操作孔からカバーの外部に突出せず、周辺の可動部と干渉するおそれがない。
【００１３】
請求項３記載の発明によれば、フランジと軸部により、ドラムの頂面側における回転軸を形成することができるため、クリップ等による別物の回転軸手段が不要となり、部品点数の低減を図ることができる。
【発明を実施するための最良の形態】
【００１４】
ドラムへのワイヤ巻回からドラムとモータとの組み付けまでの一連の作業が容易なワイヤ式ウインドウレギュレータの駆動装置を提供する、という目的を、ワイヤが外周溝内に巻回されるドラムを、該ドラムの外周溝に近接してワイヤの離脱を防止する円筒状の側面部と頂面部を有するカバー内に収納し、ドラムの底面の回転中心に形成された非円形の駆動穴に、駆動穴に相応する形状を有するモータの出力軸を係合させたワイヤ式ウインドウレギュレータの駆動装置であって、前記ドラムの頂面の回転中心に非円形の回転操作部を形成し、カバーの頂面部に回転操作部を露出させる操作孔を形成したことで、実現した。
【実施例１】
【００１５】
以下、本発明の一実施例を図１〜図８に基づいて説明する。図示しない周知のドアに固定された前後一対のガイドレール１には、上下動自在なキャリアプレート２が設けられ、キャリアプレート２にウインドウパネル３が固定されている。
【００１６】
ガイドレール１には上下にプーリ４及びワイヤガイド４ａが設けられ、該プーリ４及びワイヤガイド４ａを利用してループ状のワイヤ５が掛け回されている。キャリアプレート２は、各ガイドレール１に沿った部分のワイヤ５に係止され、ワイヤ５と一緒に上下移動する。
【００１７】
ワイヤ５はガイドレール１の間でクロスしており、その一方にワイヤ５を駆動する駆動装置６が設けられている。駆動装置６は、モータ７と、カバー８と、ドラム９とから構成されている。
【００１８】
モータ７は、図示せぬブラケットを介してガイドレール１に固定されている。モータ７は断面四角形の出力軸１０を正逆方向へ回転させることができる。このモータ７に、ドラム９を収納した状態のカバー８が取付けられる。
【００１９】
カバー８は概略三角形の全体形状で、その中央に円筒状の側面部１１と、その頂部を塞ぐ頂面部１２とを有した構造をしている。カバー８の頂面部１２の中心には円形の操作孔１３が形成され、その操作孔１３の内縁部から内部へ向けて円筒状のフランジ１４が形成されている。カバー８の上下には、ワイヤ５の出入口１５が形成されている。出入口１５はカバー８の底面側から形成された溝形状で、ワイヤ５をカバー８の底面側からセットすることができる。出入口１５と、ガイドレール１の各プーリ４との間には、ワイヤ５を保護すると共にワイヤ５の弛みを防止するチューブ１６が設けられている。
【００２０】
カバー８の内部に収納されるドラム９は、側面に螺旋状の外周溝１７が形成されている。また、ドラム９の頂面及び底面には、それぞれ係止ポケット１８ａ、１８ｂが形成され、そこにワイヤ５両端部におけるエンド部１９ａ、１９ｂが係止される。ドラム９の外周溝１７は、カバー８の側面部１１が近接していることにより、巻回されたワイヤ５のカバー８内における外周溝１７からの離脱が防止される。
【００２１】
ドラム９の底面には、モータ７の出力軸１０と係合する断面四角形の駆動穴２０が形成されている。ドラム９の頂面には、カバー８のフランジ１４が外接する軸部２１（図３参照）が形成されている。軸部２１の頂面には、断面六角形をした「回転操作部」としての凹部２２が形成されている。この凹部２２は、カバー８の操作孔１３よりも小さく、操作孔１３から露出した状態になっている。「回転操作部」が六角形の凹部２２であるため、操作孔１３からカバー８の外部に突出せず、周辺の可動部と干渉するおそれがない。
【００２２】
モータ７によりドラム９を正逆回転させることにより、ワイヤ５の一方端５ａは巻き取られ、ワイヤ５の他方端５ｂは送り出される。従って、ワイヤ５が各ガイドレール１において上下に移動し、キャリアプレート２をウインドウパネル３ごと上下に移動させることができる。
【００２３】
次に、図６〜図８を用いて、駆動装置６の組み立て方について説明する。カバー８は、頂面部１２を下にして、電動治具２３の上に載せられる。電動治具２３には、上向きに回転軸２４が形成されている。回転軸２４は断面六角形で、凹部２２と形状が合致しており、この回転軸２４を操作孔１３からカバー８の内部側へ突出させた状態にしておく。
【００２４】
次に、ドラム９も上下逆にした状態で、カバー８内に収納する。ドラム９には、下側に位置する頂面側の係止ポケット１８ａに予めワイヤ５の一方端５ａのエンド部１９ａが係止されている。ドラム９をカバー８内に収納することにより、カバー８の操作孔１３に形成したフランジ１４が、ドラム９の軸部２１に外接して、ドラム９が軸部２１を中心にカバー８内において正確に回転可能となる。フランジ１４と軸部２１により、ドラム９の頂面側における回転軸を形成することができるため、クリップ等による別物の回転軸手段が不要となり、部品点数の低減を図ることができる。
【００２５】
カバー８内にドラム９を収納することにより、ドラム９の凹部２２はカバー８の操作孔１３内で露出する関係にあるため、すでに操作孔１３内に挿入された回転軸２４に、凹部２２が係合した状態となる（図６参照）。
【００２６】
そして、その状態で、電動治具２３の回転軸２４を回転させ、ワイヤ５の一方端５ａをドラム９の外周溝１７に巻き取る。ワイヤ５の一方端５ａを巻き取って、ワイヤ５に適度なテンションが付与された状態で、ワイヤ５の他方端５ｂのエンド部１９ｂをドラム９の底面側の係止ポケット１８ｂに係止させる。その後、ドラム９を逆側へ回転させ、ワイヤ５の一方端５ａを巻き戻しながら、ワイヤ５の他方端５ｂをある程度巻き取ることにより、ワイヤ５の巻回が終了する。
【００２７】
ワイヤ５の巻回終了後も、電動治具２３の回転軸２４はドラム９の凹部２２から抜かず、ドラム９のカバー８内における回転を阻止する。電動治具２３により、ドラム９の回転を阻止した状態で、モータ７の出力軸１０を上側からドラム９の駆動穴２０に係合させ、モータ７とカバー８とを締結する（図７参照）。モータ７とカバー８とを締結した後に、電動治具２３の回転軸２４をドラム９の凹部２２から抜く。そして、全体を反転させて、ガイドレール１の支持された図示せぬブラケットにモータ７を固定して作業が終了する（図８参照）。
【００２８】
この実施例によれば、ドラム９をカバー８内に収納した状態のまま、ドラム９の凹部２２に対して電動治具２３で回転操作を行うことにより、カバー８の内部のドラム９をワイヤ５を巻回するために回転させることができる。従って、ワイヤ５の巻回作業が容易である。また、巻回終了後に電動治具２３の回転軸２４と凹部２２とを係合したままにしておくことにより、カバー８内でのドラム９の巻き戻り方向への回転を阻止することができ、ドラム９の駆動穴２０に対するモータ７の出力軸１０の係合作業も容易に行える。
【産業上の利用可能性】
【００２９】
以上の実施例では、カバー８を上下逆にしてドラム９にワイヤ５を巻回する例を示したが、上下逆にせずに、カバー８を手で保持した状態で、カバー８の操作孔１３内で露出した凹部２２に対して、手動工具等により回転操作を行っても良い。
【００３０】
「回転操作部」として、六角形の凹部２２を例にしたが、六角形以外の多角形或いは回転操作可能な非円形の凹部でも良い。また、凹部２２でなく、操作孔１３から外部へ突出する凸部でも良い。
【００３１】
また、ガイドレール１を２本有するレギュレータ機構に用いる駆動装置を例にしたが、本発明はガイドレールが１本のレギュレータ機構に用いる駆動装置にも適用可能である。
【図面の簡単な説明】
【００３２】
【図１】本発明の一実施例に係るワイヤ式ウインドウレギュレータの駆動装置を示す斜視図。
【図２】図１のカバーを示す平面図。
【図３】図２中矢示ＳＡ−ＳＡ線に沿う分解断面図。
【図４】図３のドラムを示す側面図。
【図５】図４のドラムを示す平面図。
【図６】図２のワイヤの巻回状態を示す一部断面の分解側面図。
【図７】図６のドラムにモータを組み合わせた状態を示す側面図。
【図８】図７のモータを組み合わせ後に反転した状態を示す側面図。
【符号の説明】
【００３３】
５  ワイヤ
６  駆動装置
７  モータ
８  カバー
９  ドラム
１０  出力軸
１１  側面部
１２  頂面部
１３  操作孔
１４  フランジ
１７  外周溝
２０  駆動穴
２１  軸部
２２  凹部（回転操作部）
２３  電動治具
２４  回転軸
【図１】
2005307445.tif 000003
【図２】
2005307445.tif 000004
【図３】
2005307445.tif 000005
【図４】
2005307445.tif 000006
【図５】
2005307445.tif 000007
【図６】
2005307445.tif 000008
【図７】
2005307445.tif 000009
【図８】
2005307445.tif 000010